(57)【特許請求の範囲】
【請求項１】
導電性繊維で形成した糸状体を静電気除去部材に取り付け、前記静電気除去部材を履物底の接地面側に取り付けるとともに、糸状体を履物底の接地面側に露出させたことを特徴とする静電気除去機能付き履物。
【請求項２】
導電性ウイスカを含有する履物底を備えたことを特徴とする請求項１に記載の静電気除去機能付き履物。
【請求項３】
導電性ウイスカを含有する静電気除去部材を履物底に取り付けたことを特徴とする請求項１に記載の静電気除去機能付き履物。
【請求項４】
導電性ウイスカを含有する履物底を備え、導電性ウイスカを含有する静電気除去部材を履物底に取り付けたことを特徴とする請求項１に記載の静電気除去機能付き履物。
【発明の詳細な説明】
【技術分野】
【０００１】
本発明は、静電気除去機能を有する履物に関する。
【背景技術】
【０００２】
静電気が人体に帯電すると様々な悪影響がある。例えば、冬季の乾燥した環境下においては静電気が発生して帯電し易く、金属製のドアノブなどに指先を近づけた際に静電気が放電され、不快な電気ショックを受けることがある。
【０００３】
静電気が発生する原因は種々あるが、歩行中には履物底と地面とが強く擦れるため、静電気発生の大きな原因となっている。履物が帯電すると静電誘導によって人体も帯電することとなる。
【０００４】
そのため従来から、履物底と地面とが強く擦れることによって生じた静電気を中和させることを目的とする履物等が提案されており、例えば、少なくとも接地面側に起毛のある導電性繊維を有することを特徴とする履物用の静電気除去材が知られている（特許文献１参照。）。
【特許文献１】特開２００２−３３６００４号公報
【発明の開示】
【発明が解決しようとする課題】
【０００５】
しかし、上記従来の履物用の静電気除去材は、導電性繊維を織成した導電性織布等である。導電性織布等を履物底に固定するには、固定手段として両面テープや接着剤、縫製等の手段を用い、少なくとも導電性織布等の周囲全てを履物底に固定しなければならない。このため、履物底に導電性織布等を取り付けるために手数を要するという問題がある。特に、履物底に滑り止め用の凹凸がある場合は、凹凸に合わせて導電性織布等をカットして取り付ける必要があり、取り付けに手数を要する。
【０００６】
また、導電性織布等は地面と擦れると摩滅しやすく、導電性繊維が摩滅すると静電気除去材の静電気除去機能が失われる。このため、上記従来の履物用の静電気除去材は、長期間に渡って静電気除去機能を維持することができないという問題もある。
【０００７】
そこで本発明は、静電気除去機能を簡便に付与することのできる静電気除去機能付き履物を提供することを第１の目的とする。
【０００８】
また、長期間に渡って静電気除去機能を維持できる静電気除去機能付き履物を提供することを第２の目的とする。
【課題を解決するための手段】
【０００９】
前記目的を達成するため、請求項１に記載の発明では、導電性繊維で形成した糸状体を静電気除去部材に取り付け、前記静電気除去部材を履物底の接地面側に取り付けるとともに、糸状体を履物底の接地面側に露出させた静電気除去機能付き履物とした。
【００１０】
請求項２に記載の発明では、請求項１に記載の発明において、導電性ウイスカを含有する履物底を備えた。
【００１１】
請求項３に記載の発明では、請求項１に記載の発明において、導電性ウイスカを含有する静電気除去部材を履物底に取り付けた。
【００１２】
請求項４に記載の発明では、請求項１に記載の発明において、導電性ウイスカを含有する履物底を備え、導電性ウイスカを含有する静電気除去部材を履物底に取り付けた。
【００１３】
ここで前記履物は、足に履くもののことであり、靴、スリッパ、草履、サンダル、下駄などが含まれる。
【００１４】
（作用）
従って、請求項１に記載の発明では、導電性繊維で形成した糸状体を取り付けた静電気除去部材を履物底の接地面側に取り付けるだけで、履物の接地面側に細い繊維の羽毛が露出する状態となる。導電性を有する細い繊維の羽毛からはコロナ放電を生じさせやすい。従って、履物と地面とが擦れることで発生する静電気は、コロナ放電により中和される。ここでコロナ放電は、帯電した物体の静電気が近づくと逆の電荷を発する微弱な放電である。
【００１５】
また、請求項２、４に記載の発明では、導電性ウイスカを含有する履物底の接地面側には、前記ウイスカが露出した状態となる。導電性ウイスカは導電性を有し、かつ細いため、コロナ放電を生じさせやすい。従って、履物底と地面とが擦れることで発生する静電気は、コロナ放電により中和される。また、履物底の接地面が磨耗して導電性ウイスカが摩滅しても、含有される他の新たな導電性ウイスカが次々と露出してきてコロナ放電を生じさせる。ここで、導電性ウイスカは履物底の全体に含有させてもよく、履物底の一部に含有させてもよい。
【００１６】
また、請求項３、４に記載の発明では、導電性ウイスカを含有する静電気除去部材を取り付けた履物底の接地面側には、前記ウイスカが露出した状態となる。導電性ウイスカは導電性を有し、かつ細いため、コロナ放電を生じさせやすい。従って、履物底と地面とが擦れることで発生する静電気は、コロナ放電により中和される。また、静電気除去部材が磨耗して導電性ウイスカが摩滅しても、含有される他の新たな導電性ウイスカが次々と露出してきてコロナ放電を生じさせる。ここで、導電性ウイスカは静電気除去部材の全体に含有させてもよく、静電気除去部材の一部に含有させてもよい。
【発明の効果】
【００１７】
請求項１から請求項４に記載の発明によれば、導電性繊維で形成した糸状体を静電気除去部材に取り付け、前記静電気除去部材を履物底の接地面側に取り付けるとともに、糸状体を履物底の接地面側に露出させたことで、静電気除去機能を付与することができるため、静電気除去機能を簡便に付与した静電気除去機能付き履物を提供することができる。
【００１８】
また、請求項２、４に記載の発明によれば、導電性ウイスカを含有する履物底を備えたため、履物底の接地面が磨耗しても次々と新たな導電性ウイスカが露出した状態となる。このため、長期間に渡って静電気除去機能を維持できる静電気除去機能付き履物を提供することができる。
【００１９】
また、請求項３、４に記載の発明によれば、導電性ウイスカを含有する静電気除去部材を履物底に取り付けたため、静電気除去部材の接地面が磨耗しても次々と新たな導電性ウイスカが露出した状態となる。このため、長期間に渡って静電気除去機能を維持できる静電気除去機能付き履物を提供することができる。
【図面の簡単な説明】
【００２０】
【図１】実施例１に係る静電気除去機能付き履物１の接地面側４から見た平面簡略図である。
【図２】実施例２において、糸状体６の他の取り付け手段を示す、静電気除去機能付き履物１の接地面側４から見た平面簡略図である。
【図３】実施例３に係る静電気除去機能付き履物１の接地面側４から見た平面簡略図である。
【図４】履物底３及び履物本体２の断面の一部を示す簡略図である。
【図５】履物底３及び履物本体２の断面の一部を示す簡略図である。
【図６】実施例３において、糸状体６の他の取り付け手段を示す、静電気除去機能付き履物１の接地面側４から見た平面簡略図である。
【図７】実施例３において、糸状体６の他の取り付け手段を示す、静電気除去機能付き履物１の接地面側４から見た平面簡略図である。
【図８】実施例３において、糸状体６の他の取り付け手段を示す、静電気除去機能付き履物１の接地面側４から見た平面簡略図である。
【図９】他の例に係る静電気除去機能付き履物１の接地面側４から見た平面簡略図である。
【符号の説明】
【００２１】
１  静電気除去機能付き履物
２  履物本体
３  履物底
４  接地面側
５  静電気除去部材
６  導電性繊維で形成した糸状体
【発明を実施するための最良の形態】
【００２２】
本発明を具体化した実施形態について図１から図９に従って説明する。
【実施例１】
【００２３】
本発明の実施例１に係る静電気除去機能付き履物１について、図１に従って説明する。静電気除去機能付き履物１の履物底３は、導電性繊維で形成した糸状体６を取り付けた静電気除去部材５を有している。糸状体６を取り付ける位置は、静電気除去部材５の外形輪郭に沿った周縁部である。糸状体６は、静電気除去部材５の接地面側に露出するように取り付けられる。糸状体６の取り付けは、ミシンなどの縫着手段を用いて行なう。前記静電気除去部材５は、履物底３に接着手段や溶着手段、縫着手段等の取り付け手段を用いて取り付けられる。前記静電気除去部材５は、糸状体６が履物底３の接地面側に露出するように取り付けられる。
導電性繊維で形成した糸状体６として、合成樹脂繊維を導電化させた繊維を使用することができる。例えばサンダーロン（日本蚕毛染色株式会社、登録商標）を使用することができる。サンダーロンは、アクリル繊維やナイロン繊維の表面に硫化銅の極薄の皮膜層を形成した繊維である。導電性繊維としては、他にステンレス繊維などの金属繊維や、カーボン繊維を用いることもできるが、対摩擦性が良好で軽量な、合成樹脂繊維を導電化させた導電性繊維を使用することが好ましい。
【００２４】
実施例１に係る静電気除去機能付き履物１は以下の効果を有する。すなわち、静電気除去部材５には導電性繊維で形成した糸状体６を取り付けており、接地面側４に細い導電性繊維の羽毛が露出する状態である。静電気除去機能付き履物１を履いて歩行した場合に履物底３と地面とが擦れることで発生する静電気は、前記羽毛からのコロナ放電により中和される。
【００２５】
また、実施例１に係る静電気除去機能付き履物１によれば、導電性繊維で形成した糸状体６を取り付けた静電気除去部材５を履物底に取り付けることにより、静電気除去機能を有さない履物に簡単に手数を掛けずに静電気除去機能を付与することができる。
【実施例２】
【００２６】
次に本発明の実施例２に係る静電気除去機能付き履物１について、実施例１の構成に加えて、履物底３には、導電性ウイスカを有する。前記導電性ウイスカは例えば、パナテトラ（松下電器産業、登録商標）を使用することができる。パナテトラ（松下電器産業、登録商標）は、酸化亜鉛ウイスカで４方向に成長した３次元形状（テトラポット形状）を有しており、針状短繊維長は２から５０μｍで、針状短繊維径は０．２から３．０μｍであり、コロナ放電を生じさせ易い。
【００２７】
履物底３の形成手段について一例を示すと、まず導電性ウイスカ粉体１〜４０重量％を合成樹脂又は合成ゴム等のポリマーと混練し、押し出すことにより、ポリマーのペレットを得る。このペレットを通常の射出成形機又は押し出し成形機を用いて成形加工することにより導電性ウイスカを含有する履物底３を形成する。
この履物底３に前記実施例１と同様に、導電性繊維で形成した糸状体６を取り付けた静電気除去部材５を履物底に取り付ける（図２参照）。
【００２８】
実施例２に係る静電気除去機能付き履物１は以下の効果を有する。すなわち、導電性繊維で形成した糸状体６を取り付けており、接地面側４に細い導電性繊維の羽毛が露出する状態である。静電気除去機能付き履物１を履いて歩行した場合に履物底３と地面とが擦れることで発生する静電気は、前記羽毛からのコロナ放電により中和される。また、履物底３は、導電性ウイスカを含有しており、接地面側４に細い導電性ウイスカが露出した状態である。静電気は、前記導電性ウイスカからのコロナ放電によっても中和される。また、導電性繊維で形成した糸状体６が摩滅した場合であっても、履物底３の接地面側４には導電性ウイスカが露出した状態であるため、静電気除去機能を長期間に渡って維持することができる。
【実施例３】
【００２９】
次に本発明の実施例３に係る静電気除去機能付き履物１について、図３に従って説明する。静電気除去機能付き履物１の履物底３は、導電性ウイスカを含有した静電気除去部材５を有しており、導電性繊維で形成した糸状体６を取り付けている。糸状体６を取り付ける位置は、履物底３の外形輪郭に沿った周縁部である。静電気除去部材５に含有させる導電性ウイスカは実施例２と同様のものを使用することができる。
【００３０】
履物底３の形成手段について一例を示すと、まず導電性ウイスカ粉体１〜４０重量％を合成樹脂又は合成ゴム等のポリマーと混練し、押し出すことにより、ポリマーのペレットを得る。このペレットを通常の射出成形機又は押し出し成形機を用いて成形加工することにより導電性ウイスカを含有する静電気除去部材５を形成する。この静電気除去部材５を履物底３に接着手段や溶着手段を用いて取り付ける。更に図４に示すように、履物底３の外形輪郭に沿った周縁部に導電性繊維で形成した糸状体６を取り付ける。また、図５に示すように、導電性繊維で形成した糸状体６を用いて、前記履物底３と履物本体２とを縫着してもよい。
【００３１】
実施例３に係る静電気除去機能付き履物１は以下の効果を有する。すなわち、導電性繊維で形成した糸状体６を取り付けており、接地面側４に細い導電性繊維の羽毛が露出する状態である。静電気除去機能付き履物１を履いて歩行した場合に履物底３と地面とが擦れることで発生する静電気は、前記羽毛からのコロナ放電により中和される。また、履物底３は、導電性ウイスカを含有した静電気除去部材５が取り付けられており、接地面側４に細い導電性ウイスカが露出した状態である。静電気は、前記導電性ウイスカからのコロナ放電によっても中和される。また、導電性繊維で形成した糸状体６が摩滅した場合であっても、履物底３の接地面側４には導電性ウイスカが露出した状態であるため、静電気除去機能を長期間に渡って維持することができる。
【００３２】
尚、上記導電性繊維で形成した糸状体６を履物底３の接地面側４に取り付ける手段として、糸状体６は、前記導電性ウイスカを含有した静電気除去部材５に取り付けてもよい（図６参照）。この場合、静電気除去機能を有さない履物に簡単に手数を掛けずに静電気除去機能を付与することができる。
【００３３】
また、上記導電性繊維で形成した糸状体６を履物底３の接地面側４に取り付ける他の手段として、糸状体６を静電気除去部材５に取り付け、前記導電性ウイスカを含有した静電気除去部材５とは別に取り付けてもよい（図７参照）。
【００３４】
さらにまた、上記導電性繊維で形成した糸状体６を履物底３の接地面側４に取り付ける他の手段として、糸状体６を静電気除去部材５に取り付け、この静電気除去部材５を前記導電性ウイスカを含有した静電気除去部材５に重ねて取り付けてもよい（図８参照）。
【００３５】
なお、実施の形態は上記に限定されるものではなく、例えば次のように変更してもよい。
【００３６】
履物底３と履物本体２とを縫着用糸を用いて縫着し、前記縫着用糸とは別に導電性繊維で形成した糸状体６を履物底３の接地面側４に取り付けてもよい（図９参照）。
【００３７】
導電性ウイスカを含有する静電気除去部材５は、履物底３に複数取り付けてもよい。取り付け位置は、履物底３の内、地面に接近する部分に取り付けることができる。例えば、履物底３のつま先側あるいは踵側に複数取り付けてもよく、つま先側と踵側にそれぞれ取り付けてもよい（図９参照）。
【００３８】
導電性ウイスカを含有する静電気除去部材５を履物底３に取り付ける場合において、履物底３の接地面側４に凹部を形成し、前記凹部に静電気除去部材５を取り付けてもよい。また、履物底に滑り止め用の凹凸がある場合は、凹凸に合わせて静電気除去部材５をカットして取り付けてもよい。
【００３９】
本発明に係る静電気除去機能付き履物の寸法、形状は上記実施例に限定されず、導電性繊維で形成した糸状体を取り付ける位置や形状は上記実施例に限定されない。また、各実施例で示した糸状体６や導電性ウイスカは一例であり、他の同様の性質を有する物質に変更してもよいことは言うまでもない。導電性ウイスカとして酸化亜鉛ウイスカの他、窒化チタンウイスカ等を使用することができる。
【図１】
0004563390.tif 000002
【図２】
0004563390.tif 000003
【図３】
0004563390.tif 000004
【図４】
0004563390.tif 000005
【図５】
0004563390.tif 000006
【図６】
0004563390.tif 000007
【図７】
0004563390.tif 000008
【図８】
0004563390.tif 000009
【図９】
0004563390.tif 000010